(57)【要約】【課題】変形が抑制されている飛翔害虫捕獲装置を提供する。【解決手段】開口部を有し、飛翔害虫を捕獲するための捕虫部材２と、開口部を外部に開いた状態で捕虫部材２を収納しているカバー部材２０とを備え、捕虫部材２は開口部内において粘着面４と粘着面４に対面する対向面５とを含み、カバー部材２０は収納されている捕虫部材２の粘着面４と対向面５とが当接しないように保形するものである。【選択図】図１
2015198589.tif 000002
【特許請求の範囲】
【請求項１】
開口部を有し、飛翔害虫を捕獲するための捕虫部材と、
前記開口部を外部に開いた状態で前記捕虫部材を収納しているカバー部材とを備え、
前記捕虫部材は前記開口部内において粘着面と前記粘着面に対面する対向面とを含み、
前記カバー部材は収納されている前記捕虫部材の前記粘着面と前記対向面とが当接しないように保形するものである、飛翔害虫捕獲装置。
【請求項２】
前記開口部は前記粘着面と前記対向面との間に設けられており、
前記カバー部材は、前記捕虫部材の前記粘着面に沿うように設けられている第１面部と、前記対向面に沿うように設けられており、前記第１面部に対面する第２面部と、前記第１面部および前記第２面部のそれぞれに接続されている保形部材とを有し、
前記保形部材は、前記捕虫部材において前記粘着面および前記対向面のそれぞれに接続されている接続部材よりも、前記粘着面と前記対向面とが対面する方向に高い剛性を有している、請求項１に記載の飛翔害虫捕獲装置。
【請求項３】
前記保形部材は、前記粘着面と前記対向面とが対面する方向に沿って直線状に形成されている、請求項２に記載の飛翔害虫捕獲装置。
【請求項４】
前記開口部の形状は矩形状であり、
前記保形部材は前記粘着面に対して垂直な方向に伸びるように形成されている、請求項３に記載の飛翔害虫捕獲装置。
【請求項５】
前記保形部材は、前記粘着面と前記対向面とが対面する方向に沿って曲線状に形成されている、請求項２に記載の飛翔害虫捕獲装置。
【請求項６】
前記カバー部材において、前記第１面部は同時に前記第２面部および前記保形部材でもあり、前記第２面部は同時に前記第１面部および前記保形部材でもあり、前記保形部材は同時に前記第１面部および前記第２面部でもある、請求項５に記載の飛翔害虫捕獲装置。
【請求項７】
前記カバー部材は一枚の板材が折り畳まれることにより構成されており、
前記板材を構成する材料は、前記捕虫部材を構成する材料と比べて高剛性である、請求項１〜請求項６に記載の飛翔害虫捕獲装置。
【請求項８】
前記保形部材は複数形成されている、請求項１〜請求項７に記載の飛翔害虫捕獲装置。
【請求項９】
前記捕虫部材は、前記開口部に面しており前記飛翔害虫を誘引する第１誘引部をさらに含み、
前記第１誘引部は前記カバー部材から表出しており、
前記第１誘引部は飛翔害虫が滑りやすい表面処理が施されている、請求項１〜請求項８のいずれか１項に記載の飛翔害虫捕獲装置。
【請求項１０】
前記捕虫部材は前記開口部の内側に突出している突出部を有しており、
前記突出部は飛翔害虫を誘引する第２誘引部を含み、
前記第１誘引部は、外部からの光を反射することにより飛翔害虫を誘引する特性を有する第１塗料が塗布されており、
前記第２誘引部は、外部からの光を反射することにより飛翔害虫を誘引する特性を有し前記第１塗料と異なる第２塗料が塗布されており、
前記突出部は前記カバー部材から表出している、請求項９に記載の飛翔害虫捕獲装置。
【請求項１１】
前記カバー部材は、前記捕虫部材の前記開口部を挟んで対向する複数の部分のそれぞれと、外側から同時に接触するように設けられており、
前記捕虫部材は前記カバー部材に対して着脱可能に設けられている、請求項１〜請求項１０のいずれか１項に記載の飛翔害虫捕獲装置。
【請求項１２】
前記カバー部材は防水性を有している、請求項１〜請求項１１のいずれか１項に記載の飛翔害虫捕獲装置。
【発明の詳細な説明】
【技術分野】
【０００１】
本発明は、飛翔害虫捕獲装置に関する。
【背景技術】
【０００２】
従来、飛翔害虫を捕獲する装置として、誘引剤により装置内に誘引された飛翔害虫を、該装置内に設けられている粘着剤によって捕獲するものが知られている。
【０００３】
特開平１１−１８７７９６号公報には、受付ボックスと、受けボックスの収納空部に収納できる蝿取り紙とを有する蝿取りボックスが記載されている。蝿取り紙は、二つに折ることにより受けボックスの収納空部に収納でき、折りの内側の位置に蝿取り粘着剤が塗布されている。受付ボックスは、上方が開口され、表面板と裏面板とが通常は離れているが、表面板を押すことにより、表面板と裏面板とが内側で当接できるよう構成されている。
【０００４】
また、誘引剤を補完する目的で、蛍光剤を用いる捕獲装置も知られている。蛍光剤の中には、飛翔害虫に対し誘引性を示すものがある。特許第３８９９４８４号公報には、前面部および後面部の内側に捕虫用粘着剤層が設けられており、捕虫用粘着剤層が蛍光剤を含んでいる害虫捕獲容器が記載されている。また、害虫捕獲容器は、折線が形成された基板を折り畳むことにより、組み立て可能であることが記載されている。
【先行技術文献】
【特許文献】
【０００５】
【特許文献１】特開平１１−１８７７９６号公報
【特許文献２】特許第３８９９４８４号公報
【発明の概要】
【発明が解決しようとする課題】
【０００６】
しかしながら、上記特許文献１に記載の蝿取りボックスや特許文献２に記載の害虫捕獲容器は、外力が加えられると容易に変形する。その結果、変形時に容器の内部に設けられた粘着剤が他の部分と当接して接着し、害虫捕獲容器（捕虫器）が変形から元の状態に戻ることができず、継続使用が困難となる場合があった。
【０００７】
本発明は上記のような課題を解決するためになされたものである。本発明の主たる目的は、変形が抑制されている飛翔害虫捕獲装置を提供することにある。
【課題を解決するための手段】
【０００８】
本発明に係る飛翔害虫捕獲装置は、開口部を有し、飛翔害虫を捕獲するための捕虫部材と、前記開口部を外部に開いた状態で前記捕虫部材を収納しているカバー部材とを備え、前記捕虫部材は粘着面と前記粘着面に対面する対向面とを含み、前記カバー部材は収納されている前記捕虫部材の前記粘着面と前記対向面とが当接しないように保形するものである。
【発明の効果】
【０００９】
本発明によれば、変形が抑制されている飛翔害虫捕獲装置を提供することができる。
【図面の簡単な説明】
【００１０】
【図１】本実施の形態に係る飛翔害虫捕獲装置の斜視図である。
【図２】本実施の形態に係る飛翔害虫捕獲装置のカバー部材の斜視図である。
【図３】本実施の形態に係る飛翔害虫捕獲装置のカバー部材の展開図である。
【図４】本実施の形態に係る飛翔害虫捕獲装置の誘引部および捕虫部の展開図である。
【図５】図１に示す飛翔害虫捕獲装置の正面図である。
【図６】図１に示す飛翔害虫捕獲装置の側面図である。
【図７】図１に示す飛翔害虫捕獲装置の断面図である。
【図８】図１に示す飛翔害虫捕獲装置の上面図である。
【図９】本実施の形態に係る飛翔害虫捕獲装置の変形例を示す断面図である。
【図１０】本実施の形態に係る飛翔害虫捕獲装置の他の変形例を示す側面図である。
【図１１】本実施の形態に係る飛翔害虫捕獲装置のさらに他の変形例を示す斜視図である。
【図１２】本実施の形態に係る飛翔害虫捕獲装置のさらに他の変形例を示す斜視図である。
【発明を実施するための形態】
【００１１】
以下、図面を参照して、本実施の形態に係る飛翔害虫捕獲装置について説明する。なお、以下の図面において同一または相当する部分には同一の参照番号を付し、その説明は繰返さない。
【００１２】
はじめに、本発明の実施の形態の概要を列挙する。
図１〜図１２を参照して、飛翔害虫捕獲装置１は、開口部を有し、飛翔害虫を捕獲するための捕虫部材２と、開口部を外部に開いた状態で捕虫部材２を収納しているカバー部材２０とを備え、捕虫部材２は開口部内において粘着面４と粘着面４に対面する対向面５とを含み、カバー部材２０は収納されている捕虫部材２の粘着面４と対向面５とが当接しないように保形するものである。
【００１３】
このようにすれば、飛翔害虫捕獲装置１に対して所定の外力が加えられたときにもカバー部材２０によって粘着面４と対向面５とが当接しないように保形されているため、捕虫部材２の変形を抑制することができる。その結果、飛翔害虫捕獲装置１は、捕虫部材２の変形に伴う交換頻度を抑制することができ、使用コストの低減を図ることができる。カバー部材２０が捕虫部材２を保形することができる所定の外力とは、たとえば家庭環境や職場環境において想定される人等との接触や落下等により飛翔害虫捕獲装置１に加えられる力である。
【００１４】
なお、この粘着面４に対面する対向面５も粘着性を有する面として構成されていてもよい。この場合、各粘着面４は同時に他の粘着面４の対向面５でもある。さらに、粘着面４は、捕虫部材２の開口部の全面上に設けられていてもよい。このとき、開口部内に表出している面の各領域は、粘着面４であると同時に対向面５である。この場合、カバー部材２０は、捕虫部材２の開口部の全周方向からの力に対して、捕虫部材２を保形することができるように設けられていればよい。
【００１５】
つまり、本実施の形態に係る飛翔害虫捕獲装置１の捕虫部材２は、粘着面４と対向面５とを有する限りにおいて、任意に構成され得る。また、カバー部材２０は、捕虫部材２の構成に応じて、その粘着面４と対向面５とが当接しないように保形可能に設けられている。
【００１６】
図１〜図１０を参照して、開口部は粘着面４と対向面５との間に設けられているのが好ましい。カバー部材２０は、捕虫部材２の粘着面４に沿うように設けられている第１面部２３と、対向面５に沿うように設けられており、第１面部２３に対面する第２面部２４と、第１面部２３および第２面部２４のそれぞれに接続されている保形部材２５とを有していてもよい。保形部材２５は、捕虫部材２において粘着面４および対向面５のそれぞれに接続されている接続部材９よりも、粘着面４と対向面５とが対面する方向に高い剛性を有しているのが好ましい。
【００１７】
保形部材２５は、第１面部２３および第２面部２４のそれぞれと任意の方法により接続されていればよい。図２および図３を参照して、保形部材２５は、たとえば第１面部２３および第２面部２４のうち一方と一体として設けられているとともに他方の接着されることにより、第１面部２３および第２面部２４のそれぞれと接続されていてもよい。
【００１８】
接続部材９は、粘着面４および対向面５のそれぞれと任意の方法により接続されていればよい。図４を参照して、接続部材９は、たとえば粘着面４および対向面５のうち一方と一体として設けられているとともに他方と接着されることにより、粘着面４および対向面５のそれぞれと接続されていてもよい。
【００１９】
第１面部２３、第２面部２４、および保形部材２５は、カバー部材２０に捕虫部材２を収容したときに、捕虫部材２の粘着面４、対向面５、および接続部材９の外側に配置される。そのため、保形部材２５は、粘着面４と対向面５とが対面する方向において接続部材９よりも外側に突出している。そのため、飛翔害虫捕獲装置１に対して、当該対面する方向に外力が加えられたときにも、外力は捕虫部材２よりも先にカバー部材２０に加えられる。このとき、当該対面する方向において、保形部材２５は接続部材９よりも高い剛性を有していることにより変形が抑制されるため、カバー部材２０の変形を受けて捕虫部材２に加えられる力を十分に低減することができる。その結果、粘着面４と対向面５とが当接して接着することを防止することができる。
【００２０】
なお、上述のように、粘着面４が捕虫部材２の開口部内の全面に形成されている場合には、接続部材９において開口部内に表出している面も粘着面４であるとともに対向面５として構成されている。この場合、第１面部２３および第２面部２４がそれぞれ保形部材２５として構成されているのが好ましい。このようにすれば、飛翔害虫捕獲装置１の捕虫部材２に対していずれの方向から加えられる外力によっても、粘着面４と対向面５とが当接して接着することを防止することができる。
【００２１】
図１〜図１０を参照して、保形部材２５は、粘着面４と対向面５とが対面する方向に沿って直線状に形成されていてもよい。言い換えると、保形部材２５には、当該対面する方向において、第１面部２３との接続点から第２面部２４との接続点までの間に屈曲点が設けられていない。たとえば、保形部材２５には当該対面する方向に垂直な方向に伸びる折れ線が形成されていない。そのため、保形部材２５は、第１面部２３と第２面部２４とが接触するような変形が生じにくく、飛翔害虫捕獲装置１に対して当該対面する方向に外力が加えられたときにもカバー部材２０の変形を受けて捕虫部材２の粘着面４と対向面５とが当接して接着することを防止することができる。
【００２２】
さらにこのとき、捕虫部材２の開口部の形状は矩形状であり、保形部材２５は粘着面４に対して垂直な方向に伸びるように形成されていてもよい。このようにすれば、保形部材２５は、粘着面４に対して垂直な方向に外力が加えられたときにも、第１面部２３と第２面部２４とが接触するような変形をより効果的に抑制することができるため、粘着面４と対向面５とが当接して接着することをより効果的に抑制することができる。
【００２３】
また、カバー部材２０が捕虫部材２の粘着面４と対向面５とが当接しないように保形可能に設けられている限りにおいて、保形部材２５は粘着面４と対向面５とが対面する方向に沿って曲線状に形成されていてもよい。図１１および図１２を参照して、たとえば捕虫部材２の開口部が円形状に設けられている場合には、保形部材２５は当該開口部の外周に沿うように少なくとも円弧状に設けられていてもよい。
【００２４】
さらに、カバー部材２０において、第１面部２３は同時に第２面部２４および保形部材２５であってもよい。第２面部２４は同時に第１面部２３および保形部材２５であってもよい。保形部材２５は同時に第１面部２３および第２面部２４であってもよい。異なる観点から言えば、粘着面４が捕虫部材２の開口部内の全周に渡って設けられている場合には、保形部材２５は円形状に設けられていてもよい。このようにしても、保形部材２５によって、カバー部材２０は捕虫部材２の粘着面４と対向面５とが当接して接着することを抑制することができる。
【００２５】
カバー部材２０は一枚の板材が折り畳まれることにより構成されており、板材を構成する材料は、捕虫部材２を構成する材料と比べて高剛性であってもよい。
【００２６】
図３を参照して、カバー部材２０は、前方部７に沿うように設けられている第１面部２３と、第１面部２３と捕虫部材２を介して対面する第２面部２４と、第１面部２３および第２面部２４とそれぞれ接続される保形部材２５とを主に含むが、これらが折れ線に沿って折り畳まれることにより、捕虫部材２を収容可能とする開口部を形成するように設けられていてもよい。このようにしても、折り畳まれてカバー部材２０となる板材を構成する材料が捕虫部材２を構成する材料と比べて高剛性であれば、カバー部材２０は捕虫部材２の粘着面４と対向面５とが当接しないように保形することができる。
【００２７】
なお、図４を参照して、捕虫部材２は、粘着面４が設けられている前方部７と、前方部７の粘着面４と対面する対向面５を有するとともに、粘着面４を有している後方部８と、前方部７と一体として設けられている接続部材９とを主に含むが、これらが折れ線に沿って折り畳まれることにより開口部を形成するように設けられていてもよい。この場合には、折り畳まれてカバー部材２０となる板材を構成する材料が、折り畳まれて捕虫部材２となる板材を構成する材料と比べて高剛性であれば、カバー部材２０は捕虫部材２の粘着面４と対向面５とが当接しないように保形することができる。
【００２８】
保形部材２５は複数形成されていてもよい。図１を参照して、たとえば、第１面部２３および第２面部２４のそれぞれと接続されている２つの側面として、互いに対面するように設けられていてもよい。
【００２９】
また、保形部材２５は、第１面部２３や第２面部２４と別体として複数設けられていてもよい。図１０を参照して、たとえば、複数の保形部材２５が１つの接続部材９に沿うように設けられていてもよい。複数の保形部材２５は粘着面４と対向面５とが対面する方向に添うように延在しているのが好ましい。このようにしても、カバー部材２０は捕虫部材２の粘着面４と対向面５とが当接しないように保形することができる。
【００３０】
図１を参照して、捕虫部材２は、開口部に面しており飛翔害虫を誘引する第１誘引部３をさらに含み、第１誘引部３はカバー部材２０から表出していてもよい。このようにすれば、第１誘引部３はカバー部材２０に遮られること無く、飛翔害虫捕獲装置１が設置されている環境において遠距離を飛翔していた飛翔害虫も第１誘引部３に誘引することができる。第１誘引部３は捕虫部材２の開口部に面しているため、第１誘引部３に誘引された飛翔害虫を効果的に捕虫部材２の開口部内に導き入れることができる。その結果、飛翔害虫捕獲装置１は、変形が抑制されており保安性に優れるとともに、飛翔害虫を効果的に捕獲することができる。
【００３１】
図１〜図１０を参照して、捕虫部材２は開口部の内側に突出している突出部６を有しており、突出部６は飛翔害虫を誘引する第２誘引部６Ｓを含んでいてもよい。第１誘引部３は、外部からの光を反射することにより飛翔害虫を誘引する特性を有する第１塗料が塗布されており、第２誘引部６Ｓは、外部からの光を反射することにより飛翔害虫を誘引する特性を有し第１塗料と異なる第２塗料が塗布されていてもよい。突出部６はカバー部材２０から表出しているのが好ましい。第１誘引部３は飛翔害虫が滑りやすい表面処理が施されているのが好ましい。
【００３２】
このようにすれば、捕虫部材２の開口部に隣接している第１誘引部３および第２誘引部６Ｓに飛翔害虫を誘引することができるため、より効果的に飛翔害虫を捕虫部材２の粘着面４に捕獲することができる。特に、第１誘引部３は捕虫部材２から上方に突出しており、周辺を飛んでいる飛翔害虫に容易に視認され得るため、効果的に飛翔害虫を捕虫部材２に誘引することができる。
【００３３】
また、第１誘引部３および第２誘引部６Ｓはそれぞれ異なる塗料を塗布されているため、異なる波長の光を反射することができる。一般に飛翔害虫はその種類によって誘引効果の高い色が異なることから、上記のようにすることで、異なる種類の飛翔害虫に対して同時に誘引効果を高めることができ、これらを捕獲しやすくすることができる。たとえば、第１誘引部３は黄色の蛍光色を発色する第１塗料が塗布されており、第２誘引部６Ｓは青色を発色する第２塗料が塗布されている。
【００３４】
また、第１誘引部３は飛翔害虫が滑りやすい表面処理が施されているため、第１誘引部３に誘引されてこれに停まった飛翔害虫を、第１誘引部３の下方に位置する捕虫部材２の開口部内に滑落させやすくすることができる。この結果、より効果的に飛翔害虫を捕虫部材２の粘着面４に捕獲することができる。
【００３５】
さらに、図１〜図１０に示す例では、突出部６は捕虫部材２の開口部の内側、すなわち突出部６は捕虫部材２の粘着面４と対向面５とが対面する方向に突出しているため、第１面部２３および第２面部２４が近接するようにカバー部材２０が変形した場合にも、粘着面４と対向面５とが当接する前に突出部６がそれと対向する面と当接することにより、粘着面４と対向面５とが接着することを抑制することができる。
【００３６】
カバー部材２０は、捕虫部材２の開口部を挟んで対向する複数の部分のそれぞれと、外側から同時に接触するように設けられており、捕虫部材２はカバー部材２０に対して着脱可能に設けられているのが好ましい。
【００３７】
このようにすれば、カバー部材２０に収容されている捕虫部材２は、カバー部材２０内において捕虫部材２の位置ずれ等を効果的に防止することができる。また、カバー部材２０に対して捕虫部材２を容易に着脱することができるため、捕虫部材２のみを容易に交換することができ、飛翔害虫捕獲装置１として継続使用することができる。
【００３８】
カバー部材２０は防水性を有しているのが好ましい。このようにすれば、水飛沫などが飛びやすい環境下などにおいても飛翔害虫捕獲装置１を使用することができる。この場合には、捕虫部材２が耐水性の低い材料で構成されていてもよい。
【００３９】
以下、図１〜図８を参照して、本実施の形態に係る飛翔害虫捕獲装置１の構成例について説明する。
【００４０】
図２を参照して、カバー部材２０は、開口部を有し、当該開口部内に捕虫部材２を収容可能に設けられているポケット部２１と、ポケット部２１と連なる背板２２とを有している。ポケット部２１の形状および寸法は、捕虫部材２の形状および寸法に応じて任意の形状および寸法を有していればよい。
【００４１】
ポケット部２１は、たとえば捕虫部材２の前方部７に沿うように設けられている第１面部としてのカバー前方部２３と、後方部８に沿うように設けられている第２面部としてのカバー後方部２４と、接続部材９に沿うように設けられている保形部材２５と、底面部１０に沿うように設けられているカバー底面部２６とで構成されている。
【００４２】
保形部材２５は、第１面部としてのカバー前方部２３および第２面部としてのカバー後方部２４のそれぞれに接続されている接続部材として構成されている。保形部材２５は、粘着面４および対向面５のそれぞれに接続されている部分である捕虫部材２の接続部材９よりも、粘着面４と対向面５とが対向する方向に高い剛性を有している。たとえば保形部材２５は、捕虫部材２の接続部材９を構成する材料よりも高剛性の材料で構成されている。保形部材２５を構成する材料は任意の材料を選択し得るが、たとえば段ボールなどの板紙であってもよいし、プラスチックであってもよい。また、保形部材２５は、好ましくは粘着面４と対向面５とが対面する方向と平行に設けられている。
【００４３】
カバー部材２０の開口部は、カバー前方部２３、カバー後方部２４および保形部材２５により形成されており、これらの端部に囲まれてなるカバー部材２０の開口面と突出部６および上面部１１が設けられている捕虫部材２の開口面とは、ほぼ同一面上に形成されているのが好ましい。言い換えると、カバー前方部２３、カバー後方部２４、および保形部材２５のそれぞれの上方端部は捕虫部材２の開口部と同一平面上に位置するように設けられているのが好ましい。このようにすれば、可能な限り捕虫部材２の開口部を広く設けながら、捕虫部材２の全体をカバー部材２０に収容することができるため、捕虫部材２の変形を効果的に抑制することができる。
【００４４】
カバー前方部２３、カバー後方部２４、保形部材２５、およびカバー底面部２６は、それぞれ前方部７、後方部８、接続部材９、および底面部１０にそれぞれに対向しかつ同時に接触するように設けられている。好ましくは、前方部７とカバー前方部２３、および後方部８とカバー後方部２４は、それぞれ面接触するように設けられている。これにより、ポケット部２１内における捕虫部材２の位置ズレや、ポケット部２１からの捕虫部材２の脱離をより効果的に防止することができる。
【００４５】
図３を参照して、カバー部材２０は、１枚の板材を折り畳むことによって形成してもよい。上記板材には、カバー後方部２４と一体である背板２２とカバー底面部２６との境界、カバー底面部２６とカバー前方部２３との境界、カバー前方部２３と保形部材２５との境界に折線が設けられている。さらに、カバー後方部２４と保形部材２５とを接続するのり代部２７と保形部材２５との境界に折線が設けられている。これにより、上記板材を折線に沿って折り畳み、かつ、のり代部２７とカバー後方部２４とを接着させることにより、捕虫部材２を収容可能なポケット部２１を有するカバー部材２０を組み立てることができる。この場合には、カバー部材２０を構成する材料が捕虫部材２を構成する材料よりも高剛性を有する材料であればよい。カバー部材２０は緩衝性を有する材料で構成されているのが好ましい。カバー部材２０は、たとえば互いに平行に形成されている表面層と裏面層との間に、表面層および裏面層と交差する方向に延びる中間層が複数形成されていることによって複数の空間が形成されている緩衝部材により構成されていえる。これにより、カバー部材２０を介して捕虫部材２に外力が加えられた場合でも、カバー部材２０により捕虫部材２に加えられる力を弱めることができる。その結果、捕虫部材２の変形をより効果的に抑制することができる。
【００４６】
カバー部材２０は、好ましくは外部から内部への水の侵入を防止することができる防水性を有する材料で構成されており、または防水加工もしくは撥水加工が施されている。これにより、たとえば捕虫部材２が耐水性の低い材料で構成されている場合であっても、飛翔害虫捕獲装置１を水気の多い環境下でも使用することができる。
【００４７】
図１および図８を参照して、捕虫部材２は開口部を有している。捕虫部材２の開口部の平面形状は、任意の形状を有していればよいが、たとえば長方形である。捕虫部材２は、開口部を挟んで第１誘引部３と対向する前方部７と、前方部７と対向し第１誘引部３と一体として形成されている後方部８と、前方部７と後方部８とを接続している２つの接続部材９とを含む。捕虫部材２は、上記４つの面の下方に位置してそれらと互いに接続されている底面部１０を含んでもよい。
【００４８】
捕虫部材２は、さらに第１誘引部３を含む。第１誘引部３は、捕虫部材２の開口部の上方に位置するとともに開口部に面している。飛翔害虫捕獲装置１を平面視したときの第１誘引部３の平面形状は、方形や半円形等の任意の形状とすればよく、たとえば長方形である。第１誘引部３には孔２Ｈが形成されており、孔２Ｈに留め具等を通して、飛翔害虫捕獲装置１を壁等に配置可能に形成されている。飛翔害虫捕獲装置１を平面視したときに、第１誘引部３の幅は捕虫部材２の幅と同等に設けられている。
【００４９】
第１誘引部３の主表面には飛翔害虫誘引特性を有する塗料（第１塗料）が塗布されている。そのため、第１誘引部３を視認した（第１誘引部３からの反射光を視覚した）飛翔害虫を誘引することができる。当該第１塗料の色は、たとえば黄の蛍光色である。このとき、第１誘引部３の主表面はカバー部材２０に覆われることなく捕虫部材２から上方に突出しているため、飛翔害虫捕獲装置１の周辺を飛んでいる飛翔害虫は第１誘引部３を容易に視認することができる。このため、飛翔害虫を捕虫部材２の上方に容易に誘引することができる。
【００５０】
第１誘引部３の主表面には、さらに飛翔害虫が滑りやすい表面処理が施されている。そのため、第１誘引部３によって誘引された飛翔害虫が第１誘引部３の主表面に止まると、該飛翔害虫は第１誘引部３の下方に位置してカバー部材２０に塞がれていない捕虫部材２の開口部内に滑り落とされる。その結果、飛翔害虫をより効果的に捕獲することができる。
【００５１】
図１および図６を参照して、捕虫部材２は上方側が下方側よりも広く設けられている。言い換えると、捕虫部材２の開口部は下方（奥）にいくにつれて狭くなるように設けられている。これにより、飛翔害虫を効率的に捕虫部材２の開口部内に誘引することができるとともに、該開口部に対して粘着面４に挟まれる捕虫部材２の内部空間が狭くなっているため、捕虫部材２内に誘引された飛翔害虫を粘着面４により効果的に捕獲することができる。
【００５２】
図１および図８を参照して、前方部７の上端部には、捕虫部材２の内側に延びる突出部６が設けられている。また、接続部材９の上端部には、捕虫部材２の内側に延びる上面部１１が設けられている。好ましくは、突出部６と上面部１１とは、捕虫部材２の上方端部において重なるように設けられ、突出部６および上面部１１の一方は他方を挟み込むように設けられている。突出部６および上面部１１は、捕虫部材２の開口部に対してひさし状に形成されているため、捕虫部材２の外部から捕虫部材２の内部への視界を部分的に遮ることができ、粘着面４に捕獲された飛翔害虫を視覚に入り難くすることができる。
【００５３】
図７を参照して、突出部６は、前方部７の上端部から後方部８側に距離Ｌ２だけ突出している。距離Ｌ２は、上記底面部１０の距離Ｌ１と同等程度としてもよい。このようにすれば、たとえばカバー部材２０が緩衝し得る以上の外力が前方部７または後方部８に加えられたときにも、粘着面４と対向面５とが接触する前に突出部６と後方部８とが当接することができ、さらにこのときの捕虫部材２の縦断面形状を略長方形とすることができる。この場合、捕虫部材２の上方端部（突出部６側）と下方端部（底面部１０側）とには同等程度の力が加えられるため、一部分が他の部分よりも極端に変形することを防ぐことができる。
【００５４】
捕虫部材２を構成する部材（突出部６、前方部７、後方部８、接続部材９、底面部１０、および上面部１１）において、捕虫部材２の開口部内に表出している内面には、飛翔害虫誘引特性を有する塗料が塗布されていてもよい。このようにすれば、第１誘引部３の主表面に誘引されて捕虫部材２の開口部上に飛来した飛翔害虫は、さらに該開口部内の内面に塗布された塗料からの反射光に誘引されて捕虫部材２の開口部内に着地する確率を高めることができる。
【００５５】
このとき、捕虫部材２の開口部内には粘着面４が形成されているため、上述のように捕虫部材２の開口部内に導かれた飛翔害虫は粘着面４に捕獲される。その結果、本実施の形態に係る飛翔害虫捕獲装置１によれば、飛翔害虫をより効果的に誘引し捕獲することができる。なお、捕虫部材２の開口部内に表出している内面のうち、全面に飛翔害虫誘引特性を有する塗料が塗布されている必要はないが、少なくとも捕虫部材２を上面視したときに視認可能な部分に当該塗料が塗布されているのが好ましい。捕虫部材２の開口部内に表出している内面に塗布されている塗料は、飛翔害虫誘引特性を有する限りにおいて第１誘引部３の主表面に塗布されている塗料（第１塗料）と異なっていてもよいが、たとえば同一である。
【００５６】
捕虫部材２を構成する突出部６および上面部１１において、捕虫部材２の開口部の外側に表出している外面には飛翔害虫誘引特性を有する塗料（第２塗料）が塗布されていてもよい。当該第２塗料は、飛翔害虫誘引特性を有する限りにおいて、第１誘引部３の主表面に塗布されている第１塗料や捕虫部材２の開口部内に表出している内面に塗布されている塗料と同一であってもよいが、たとえば異なっている。この場合の第２の塗料の色は、たとえば青色である。つまり、突出部６および上面部１１は、第１誘引部としての第１誘引部３とは異なる飛翔害虫誘引特性を有する第２誘引部として構成されていてもよい。このようにすれば、一般に飛翔害虫はその種類によって誘引効果の高い色が異なるため異なる種類の飛翔害虫に対して同時に誘引効果を高めることができ、これらを捕獲しやすくすることができる。
【００５７】
一方、上記捕虫部材２を構成する前方部７、接続部材９、および底面部１０において、捕虫部材２の開口部の外側に表出している外面には飛翔害虫誘引特性を有する塗料が塗布されていない。また、後述するカバー部材２０を構成するカバー前方部、保形部材２５、およびカバー底面部２６において、外側に表出している外面には飛翔害虫誘引特性を有する塗料が塗布されていない。捕虫部材２の開口部の外側にあって、飛翔害虫誘引特性を有する部分は、該開口部と連接されている第１誘引部３である。そのため、第１誘引部３の近傍に誘引した飛翔害虫を効率的に捕虫部材２の内部に導き入れることができる。
【００５８】
第１誘引部３および捕虫部材２を構成する材料は、それぞれ任意に選択され得るが、いずれも剛性が低く外力を受けて容易に変形されやすいものであって低コストの材料とすることができ、たとえば紙とすることができる。
【００５９】
図４を参照して、本実施の形態における第１誘引部３と捕虫部材２とは、１枚の台紙が折りたたまれることによって形成されてもよい。このとき、該台紙の一方の面には飛翔害虫誘引特性を有する第１塗料が塗布されている。該台紙の他方の面のうち、突出部６および上面部１１の上記外面を構成する部分には飛翔害虫誘引特性を有する第２塗料が塗布されており、それ例外の部分には塗布されていない。
【００６０】
上記台紙には、捕虫部材２と突出部６との間、および捕虫部材２における粘着面と対向面との間には折線（図４に示す点線が折れ線である）が形成されている。具体的には、上記台紙において、後方部８と一体である第１誘引部３と底面部１０との境界、底面部１０と前方部７との境界、前方部７と接続部材９との境界、前方部７と突出部６との境界、接続部材９と上面部１１との境界、および後方部８と接続部材９とを接続するのり代部１４と接続部材９との境界に、折線が設けられている。これにより、上記台紙を折線に沿って折り畳み、のり代部１４と後方部８とを接着させることにより、第１誘引部３と捕虫部材２とを組み立てることができる。なお、接続部材９において、底面部１０から上面部１１まで延びるように折線が形成されていてもよい。また、台紙の他方の面に飛翔害虫誘引特性を有する塗料を塗布してもよい。
【００６１】
次に、本実施の形態に係る飛翔害虫捕獲装置１の作用効果について説明する。飛翔害虫捕獲装置１は捕虫部材２を収容しているカバー部材２０を備え、カバー部材２０は収納されている捕虫部材２の粘着面４と対向面５とが当接しないように保形するものである。そのため、飛翔害虫捕獲装置１に外力が加えられたときにもカバー部材２０により捕虫部材２の変形を抑制することができる。このため、捕虫部材２を低剛性で比較的安価な材料で構成しても、粘着面４と対向面５とが接着することを防止することができる。その結果、粘着面４と対向面５との接着により継続使用不可能となるリスクを低減できるとともに、所定期間使用後には捕虫部材２（および捕虫部材２と一体として構成された第１誘引部３）を低コストで交換することができる。このとき、第１誘引部３および捕虫部材２はカバー部材２０のポケット部２１上に載置されているだけであるため、容易に交換することができる。その結果、飛翔害虫捕獲装置１を設置することにより、衛生的な環境を低コストかつ容易に実現し、また維持することができる。
【００６２】
また、粘着面４と対向面５との接着を効果的に抑制するには、粘着面４と対向面５とが対向する方向において捕虫部材２の変形が抑制されていればよい。カバー部材２０における接続部材としての保形部材２５が、捕虫部材２において少なくとも粘着面４および対向面５のそれぞれに接続されている接続部材９よりも上記対面する方向に高い剛性を有しているため、粘着面４と対向面５とが変形して接着することを効果的に抑制することができる。
【００６３】
さらに、カバー部材２０を構成する材料に緩衝性を有する材料を採用することにより、カバー部材２０は加えられた外力を緩衝することができるため、より効果的に捕虫部材２の変形を抑制することができる。
【００６４】
また、カバー部材２０に防水性または撥水性を持たせることにより、捕虫部材２が耐水性の低い材料で構成されている場合であっても、たとえば水飛沫などが飛びやすい環境下などにおいても飛翔害虫捕獲装置１を使用することができる。
【００６５】
また、飛翔害虫捕獲装置１において、突出部６と上面部１１とは捕虫部材２の上方端部において重なるように設けられ、突出部６および上面部１１の一方は他方を挟み込むように設けられていることにより、突出部６と上面部１１とが捕虫部材２の開口端部を支持している構成とすることができる。これにより、捕虫部材２の開口部の変形を抑制することができる。この結果、たとえばカバー部材２０により外力の一部が吸収されたものの、なお捕虫部材２に力が加えられるような場合においても、粘着面４と対向面５とが当接することを効果的に防止することができる。また、この場合には、たとえば捕虫部材２をカバー部材２０とは別に（カバー部材２０に収容されている状態でなく）運搬等する際に、あらかじめ粘着面４を剥離紙で覆っておかなくても粘着面４同士が接着することを防止することができる。その結果、捕虫部材２の梱包コストや製造コストを低く抑えることができる。
【００６６】
また、飛翔害虫捕獲装置１において、第１誘引部３の主表面と捕虫部材２の開口部内に表出している面には第１塗料が塗布されており、突出部６および上面部１１の開口部の外側に表出している外面には第２塗料が塗布されている。このとき、一般に飛翔害虫はその種類によって誘引効果の高い色が異なるため、第１塗料および第２塗料が同一である場合には、特定の飛翔害虫をより効果的に捕獲することができる。また、第１塗料および第２塗料が異なっている場合には、異なる種類の飛翔害虫に対して同時に誘引効果を高めることができ、これらを捕獲しやすくすることができる。
【００６７】
また、前方部７または後方部８に大きな外力が加えられたときにも、粘着面４同士が接触する前に突出部６と後方部８とが当接することができ、このときの捕虫部材２の縦断面形状を略長方形とすることができる。その結果、捕虫部材２の上方端部（突出部６側）と下方端部（底面部１０側）とには同等程度の力が加えられるため、一部分が他の部分よりも極端に変形することを防ぐことができる。なお、捕虫部材２の変形時に、後方部８において突出部６が当接する部分には、粘着面４が形成されていてもよい。このようにしても、突出部６と後方部８における粘着面４との接触面積が小さいため、突出部６と後方部８とを容易に剥離することができ、ふたたび変形前の通常使用形態に戻して使用を継続することができる。後方部８において突出部６が当接する部分に粘着面４が形成されていない場合には、さらに容易に変形前の通常使用形態に戻して使用を継続することができる。
【００６８】
また、図１および図８を参照して、本実施の形態における突出部６は、捕虫部材２の開口部に沿って、一方の接続部材９から他方の接続部材９まで延びるように形成されている。これにより、捕虫部材２の開口部が第１誘引部３の第１誘引部３と平行な方向において広く形成されている場合（一方の接続部材９から他方の接続部材９までの距離Ｌ３（図８参照）が長く形成されている場合）にも、突出部６は、該第１誘引部３と平行な方向において部分的に粘着面４と対向面５とが接着することを防止することができる。
【００６９】
本実施の形態に係る飛翔害虫捕獲装置１は、以下のような構成を採用することもできる。
【００７０】
図９を参照して、カバー部材２０の背板２２は、少なくとも一部が捕虫部材２の開口部上に迫り出すように設けられていてもよい。具体的には、背板２２は、第１誘引部３に沿って設けられている第１の背板２２Ａと、捕虫部材２の開口部上に迫り出すように設けられていている第２の背板２２Ｂとで構成されていてもよい。第１の背板２２Ａおよび第２の背板２２Ｂは、いずれも防水処理または撥水処理が施されている。このようすれば、飛翔害虫捕獲装置１に対して上方から外力や水飛沫を受ける場合にも、これらによる捕虫部材２の変形や変質を抑制することができる。
【００７１】
図９を参照して、第１誘引部３は、少なくとも一部が捕虫部材２の開口部上に迫り出すように設けられていてもよい。
第１誘引部３は、後方部８と一体として設けられている誘引部３Ａと、捕虫部３の開口部上に迫り出すように設けられていている誘引部２Ｂとで構成されていてもよい。誘引部３Ａおよび誘引部３Ｂの主表面は、いずれも飛翔害虫を誘引する特性を有する蛍光塗料が塗布されており、かつ、飛翔害虫が滑りやすい表面処理が施されている。このようにすれば、誘引部３Ａに加えて、誘引部３Ｂに誘引されて誘引部３Ｂの主表面に着地した飛翔害虫を捕虫部材２の開口部内に滑落させることができ、より効果的に飛翔害虫を誘引し、捕獲することができる。
【００７２】
さらに、図９を参照して、突出部６は、後方部材６Ａを有していてもよい。具体的には、突出部６の後方部８側に位置する端部には、後方部８と平行な面を有する後方部材６Ａが設けられていてもよい。このようにすれば、捕虫部材２が外力を受けて変形させられる場合にも、後方部材６Ａと後方部８とが面接触することにより粘着面４同士が当接して接着することを防止することができる。
【００７３】
また、図９を参照して、当接防止部１２が、後方部８から前方部７側に突出部として形成されていてもよい。突出部として設けられた当接防止部１２は、任意の材料で構成することができる。また、この場合、当接防止部１２は、後方部８において任意の場所に設けられていればよいが、たとえば後方部８の中央部分に設けられていてもよい。このようにしても、捕虫部材２が外力を受けて変形させられる場合にも、当接防止部１２と前方部７とが接触することにより粘着面４同士が当接して接着することをより確実に防止することができる。なお、当接防止部１２は、前方部７から後方部８側に突出部として形成されていてもよい。
【００７４】
また、図９を参照して、本実施の形態に係る飛翔害虫捕獲装置１は、捕虫部材２の内部において、誘引剤１３をさらに備えていてもよい。誘引剤１３は、飛翔害虫を誘引することができる任意の誘引成分を含んでいればよく、たとえばハエ性フェロモンと飛翔害虫が高い好食性を示すたんぱく質とを発酵させたものを不織布で包まれている。誘引剤１３は、たとえば、捕虫部材２の底面部１０上に備えられていてもよい。上述のように、本実施の形態に係る飛翔害虫捕獲装置１の底面部１０は、距離Ｌ１（図７参照）をたとえば１ｃｍ以上とすることができる。これにより、様々な誘引剤１３を底面部１０上に設置することができる。なお、誘引剤１３は、捕虫部材２の開口部内においてより開口部から離れた位置に設けられるのが好ましい。また、捕虫部材２において、たとえば粘着面４を構成する材料が誘引成分を含んでいてもよい。
【００７５】
本実施の形態に係る飛翔害虫捕獲装置１において、保形部材２５はカバー前方部２３等と同一の材料からなる１つの板材が折り畳まれることにより、捕虫部材２の接続部材９に沿うように設けられた面部材として構成されているが、これに限られるものではない。たとえば、カバー前方部２３やカバー後方部２４などと異なる材料からなる別部材として構成されていてもよい。図１０を参照して、保形部材２５は、たとえば粘着面４と対向面５とが対面する方向に沿って設けられた線状部材であって、カバー前方部２３とカバー後方部２４との間に複数形成されていてもよい。複数の保形部材２５は、捕虫部材２において粘着面４および対向面５のそれぞれに接続されている部分と比べて捕虫部材２の粘着面４と対向面５とが対面する方向に高い剛性を有していればよい。これにより、カバー部材２０の外形は捕虫部材２の外形と比べて変形が抑制されている。なお、保形部材２５は、捕虫部材２と比べて上記対面する方向に高い剛性を有している限りにおいて、当該対面する方向に沿って直線状または波線状などの曲線状に形成されていてもよいし、それらが連なっていてもよい。
【００７６】
また、図１０を参照して、カバー部材２０は、背板２２が設けられておらずポケット部２１のみにより構成されていてもよい。このようにしても、カバー部材２０はポケット部２１に捕虫部材２を収容することができるため、外力により捕虫部材２が変形することを抑制できる。カバー部材２０は、任意の方法で設置されるが、たとえば壁面等に接着されることにより設置されてもよい。
【００７７】
図１１を参照して、保形部材２５は粘着面４と対向面５とが対面する方向に沿って円孤状に設けられていてもよい。この場合、捕虫部材２の粘着面４に沿うように設けられている第１面部と、対向面５に沿うように設けられて第１面部と対面する第２面部と、第１面部および第２面部のそれぞれに接続されている保形部材２５とが、円形状の開口部を形成するようにそれぞれ一体として設けられていてもよい。言い換えると、カバー部材２０のそれぞれの領域は、第１面部であると同時に第２面部であって、かつ保形部材２５として構成されている。このようにしても、本実施の形態に係る飛翔害虫捕獲装置１と同様の効果を奏することができる。また、カバー部材２０の開口形状を円形状とすれば、外力を効果的に分散させることができ、粘着面４と対向面５との当接を防止することができる。
【００７８】
なお、この場合の捕虫部材２は任意に構成され得るが、図１１を参照して、たとえば第１誘引部３が突出部６として構成されていてもよい。第１誘引部３は、捕虫部材２の開口部上において粘着面４と対向面５とを接続するように十字状に設けられていてもよい。このようにすれば、第１誘引部３によっても捕虫部材２の変形を抑制することができる。また、第１誘引部３を飛翔害虫捕獲装置１の全周囲から視認可能に設けることもできる。このとき、飛翔害虫捕獲装置１はたとえば吊り具１５により吊り下げられて使用される。
【００７９】
また、図１２を参照して、飛翔害虫捕獲装置１は、孔２Ｈ，２０Ｈ（図１参照）や吊り具１５（図１１参照）などにより吊り下げられて使用されるだけでなく、飛翔害虫捕獲装置１が捕虫部材２の開口部が上方に向けて開口した状態で水平面上に載置可能に設けられていてもよい。つまり、カバー底面部２６をカバー部材２０の設置面として広く形成することにより、たとえば家具等の上面に安定して載置することができる。なお、捕虫部材２の形状はカバー部材２０内に位置ズレせずに収容され得る限りにおいて任意の形状とすることができる。このようにしても、本実施の形態に係る飛翔害虫捕獲装置１と同様の効果を奏することができる。
【００８０】
また、本実施の形態に係る飛翔害虫捕獲装置１において、捕虫部材２は上方側が下方側よりも広く設けられているがこれに限られるものではない。たとえば、底面部１０は、捕虫部材２の開口部の開口面積に対して同等以上に設けられていてもよい。つまり、距離Ｌ１（図７参照）をたとえば４ｃｍ以上とすることができる。このようにしても、本実施の形態に係る飛翔害虫捕獲装置１は、捕虫部材２の開口部の上方に第１誘引部３が設けられているため、第１誘引部３によって、飛翔害虫を捕虫部材２の開口部に効果的に誘引することができる。
【００８１】
また、本実施の形態に係る飛翔害虫捕獲装置１において、粘着面４は、接続部材９および底面部１０の内面上に設けられていてもよい。このようにしても、捕虫部材２に外力が加えられた場合に、捕虫部材２において粘着面４と対向面５との間隔が最も狭い前方部７と後方部８との間において突出部６により粘着面４と対向面５との当接を防止することができる。そのため、飛翔害虫捕獲装置１は変形から容易に回復することができる。
【００８２】
以上のように本発明の実施の形態について説明を行なったが、今回開示された実施の形態はすべての点で例示であって、制限的なものではないと考えられるべきである。本発明の範囲は上記した説明ではなく請求の範囲によって示され、請求の範囲と均等の意味、および範囲内でのすべての変更が含まれることが意図される。
【符号の説明】
【００８３】
１  飛翔害虫捕獲装置、２  捕虫部材、２Ｈ  孔、３  第１誘引部、４  粘着面、５  対向面、６  突出部、６Ａ  後方部材、６Ｓ  第２誘引部、７  前方部、８  後方部、９  接続部材、１０  底面部、１１  上面部、１２  当接防止部、１３  誘引剤、１４，２７  のり代部、１５  吊り具、２０  カバー部材、２１  ポケット部、２２  背板、２２Ａ  第１の背板、２２Ｂ  第２の背板、２３  カバー前方部、２４  カバー後方部、２５  保形部材、２６  カバー底面部。
【図１】
2015198589.tif 000003
【図２】
2015198589.tif 000004
【図３】
2015198589.tif 000005
【図４】
2015198589.tif 000006
【図５】
2015198589.tif 000007
【図６】
2015198589.tif 000008
【図７】
2015198589.tif 000009
【図８】
2015198589.tif 000010
【図９】
2015198589.tif 000011
【図１０】
2015198589.tif 000012
【図１１】
2015198589.tif 000013
【図１２】
2015198589.tif 000014